(57)【要約】      （修正有）【課題】燃料補給の面倒さ及び排気ガスの発生がなく、また車両運転中のドライバに対し視認し易い場所を優先させて工事予告看板を設置し得るとともに該工事予告看板の内容を的確に照明し得る道路用工事予告看板照明具を提供する。【解決手段】取付基体２の一端側に照明方向を垂直方向及び左右方向に調整可能に照明灯３を取付け、取付基体２の他端側には道路脇のガード柵４に固定するためのクランプ機構５を設け、さらに取付基体２に照明灯３を点灯するための電池を装着した。【選択図】図１
0003153984.tif 000002
【実用新案登録請求の範囲】
【請求項１】
道路を走行する車両のドライバに対し所定距離の先方に工事の施工中箇所があること報知する工事予告看板を照明するための道路用工事予告看板照明具であって、
取付基体の一端側に照明方向を垂直方向及び左右方向に調整可能に照明灯を取付け、前記取付基体の他端側には道路脇のガード柵に固定するためのクランプ機構を設け、前記取付基体に前記照明灯を点灯するための電池を装着したことを特徴とする道路用工事予告看板照明具。
【考案の詳細な説明】
【技術分野】
【０００１】
本考案は、道路用工事予告看板照明具に関するものであり、特に、高速道路走行車両のドライバに対し所定距離の先方に工事の施工中箇所があることを報知する工事予告看板を夜間等において的確に照明することが可能な道路用工事予告看板照明具に関するものである。
【背景技術】
【０００２】
高速道路で工事を行う際、該高速道路を走行する車両のドライバに対し、例えば５００ｍとか１０００ｍの所定距離の先方に施工中の箇所があることを報知する工事予告看板をガードレール等の近傍に設置し、その看板内容が夜間でも見えるように照明することが施工の条件とされている。このような照明具としては、例えばガソリンエンジンで発電機を駆動し、その発電電力で照明灯を点灯するようにしたものがある。
【０００３】
また、工事の照明具に関連する従来技術として、例えば、次のような工事用照明具の取付器具が知られている。この従来技術に示されている照明具は、円筒形をした透明ないし半透明のプラスチック製保護チューブに蛍光灯が内装され、その両端がキャップで覆われるとともに一方のキャップから前記蛍光灯の電源接続用コードが引出されている。そして、地下作業現場における手摺等の単管の下部にその長手方向に沿って、締結バンドを備えた一対の取付器具により固定し、地下作業現場の足下一帯を照らしている（例えば、特許文献１参照）。
【先行技術文献】
【特許文献】
【０００４】
【特許文献１】特開平８−８３５０９号公報
【考案の概要】
【考案が解決しようとする課題】
【０００５】
ガソリンエンジン駆動の発電電力で照明灯を点灯するようにした従来技術にあっては、ガソリンエンジンの燃料であるガソリンの補給を行なわなければならないという面倒があるとともにガソリンエンジンの稼働中に排気ガスが発生するという問題があった。
【０００６】
また、特許文献１に記載の従来技術は、特定の照明対象である工事予告看板を照明するというものではなく、地下作業現場の足下一帯を照らすというものであり、照明灯は、その足下一帯を照らすという目的から、照明光に指向性のない蛍光灯が用いられ、その電源は電灯線電圧が用いられている。このため、照明具の設置位置は電灯線を引き込むことが可能な位置に限定されている。
【０００７】
そこで、燃料補給の面倒及び排気ガスの発生がなく、また車両運転中のドライバに対し視認し易い場所を優先させて工事予告看板を設置し得るとともに該工事予告看板の内容を的確に照明するために解決すべき技術的課題が生じてくるのであり、本考案はこの課題を解決することを目的とする。
【課題を解決するための手段】
【０００８】
本考案は上記目的を達成するために提案されたものであり、請求項１記載の考案は、道路を走行する車両のドライバに対し所定距離の先方に工事の施工中箇所があること報知する工事予告看板を照明するための道路用工事予告看板照明具であって、取付基体の一端側に照明方向を垂直方向及び左右方向に調整可能に照明灯を取付け、前記取付基体の他端側
には高速道路脇のガード柵に固定するためのクランプ機構を設け、前記取付基体に前記照明灯を点灯するための電池を装着した道路用工事予告看板照明具を提供する。
【０００９】
この構成によれば、照明灯の点灯方式を、例えばガソリンエンジン駆動の発電電力点灯方式ではなく、電池点灯方式としたことで、ガソリンエンジンの燃料であるガソリンの補給を行う面倒が回避されるとともに排気ガスの発生がなくなる。また、点灯用の電圧を電灯線からとらずに、携帯性を有する電池を用いて得たことで、工事予告看板の設置位置として、車両運転中のドライバが容易に視認し易い位置を優先して決めることが可能となる。工事予告看板の照明に際しては、照明方向を垂直方向及び左右方向に調整可能としたことで、看板内容を容易に視認し得るように的確に照明することが可能となる。
【考案の効果】
【００１０】
請求項１記載の考案は、照明灯の点灯方式を電池点灯方式としたことで、ガソリンエンジン駆動の発電電力点灯方式等とした際の燃料補給の面倒及び排気ガスの発生がない。また、点灯用の電圧を携帯性を有する電池を用いて得たことで、車両運転中のドライバが容易に視認し易い位置を優先して工事予告看板を設置することができる。照明灯の照明方向を垂直方向及び左右方向に調整可能としたことで、工事予告看板の内容を的確に照明することができるという利点がある。
【図面の簡単な説明】
【００１１】
図は本考案の実施例に係る道路用工事予告看板照明具を示すものである。
【図１】全体構成を示す側面図。
【図２】図１のＡ矢印方向からみた図。
【考案を実施するための形態】
【００１２】
本考案は、燃料補給の面倒及び排気ガスの発生がなく、また車両運転中のドライバに対し視認し易い場所を優先させて工事予告看板を設置し得るとともに該工事予告看板の内容を的確に照明するという目的を達成するために、道路を走行する車両のドライバに対し所定距離の先方に工事の施工中箇所があること報知する工事予告看板を照明するための道路用工事予告看板照明具であって、取付基体の一端側に照明方向を垂直方向及び左右方向に調整可能に照明灯を取付け、前記取付基体の他端側には道路脇のガード柵に固定するためのクランプ機構を設け、前記取付基体に前記照明灯を点灯するための電池を装着したことにより実現した。
【実施例１】
【００１３】
以下、本考案の好適な実施例を図１及び図２を参照して説明する。まず、本実施例においては、特に、高速道路用工事予告看板照明具１の構成を説明する。高速道路用工事予告看板照明具１は、金属製でブラケット状の取付基体２の先端側に照明方向が垂直方向及び左右方向に調整可能とされた照明灯３が取付けられ、前記取付基体２の後端側には高速道路脇のガードレールを含むガード柵４に固定するためのクランプ機構５が設けられている。該クランプ機構５には、クランプ金具５ａ及びクランプボルト５ｂが備えられ、クランプボルト５ｂの締込みによりガード柵４に固定される。
【００１４】
前記照明灯３は、照明灯カバー６の前部に垂直方向回動軸７により俯仰自在、即ち垂直方向に傾動自在に取付けられている。図１中には、この照明灯３が垂直方向回動軸７を中心として垂直方向に傾動自在とされた様子が仮想線で示してある。そして、前記照明灯カバー６の背面が断面Ｌ字状のＬ形金具８に固着され、該Ｌ形金具８が左右方向回動軸９を介して取付基体２の先端側に左右方向に回動自在に取付けられている。
【００１５】
前記左右方向回動軸９は、ボルト９ａ、ナット９ｂ、コイルスプリング９ｃ、ワッシャ
９ｄ，９ｄ、及びスペーサ９ｅ等からなり、照明灯カバー６の前部に取付けられた照明灯３を、Ｌ形金具８を介して取付基体２の先端側に弾力的且つ、左右方向に回動自在に支持している。図２中には、照明灯３が左右方向回動軸９を中心として左右方向に回動自在とされた様子が仮想線で示してある。
【００１６】
前記取付基体２における前後端のほぼ中間部位に電池収納ケース１０が取付けられ、該電池収納ケース１０内に図示しない電池が収納されている。該電池としては、乾電池、充電式のバッテリ等が適用可能である。該電池に一端が接続された電源線１１の他端が照明灯３側に接続されている。該照明灯３の下面部には、電池電圧による照明灯３の点灯を手動でオン・オフする押釦スイッチ１２が取付けられている。手動の押釦スイッチ１２に代えて、周囲の明るさに応じて照明灯３の点灯を自動的にオン・オフする自動点滅スイッチやリモ・コン式のスイッチ等も適用可能である。
【００１７】
次に、上述のように構成された高速道路用工事予告看板照明具１の作用を説明する。ガードレールの近傍に設置された工事予告看板に対し、高速道路用工事予告看板照明具１がクランプ機構５におけるクランプボルト５ｂの締込みによりガード柵４としての該ガードレールのそで部分等に固定される。そして、夜間等で周囲の明るさがなくなったとき、押釦スイッチ１２をオン操作し、電池電圧で照明灯３を点灯する。
【００１８】
次いで、該照明灯３の照明方向を、それぞれ手動で垂直方向回動軸７を中心として垂直方向に調整するとともに左右方向回動軸９を中心として左右方向に調整する。これにより、設置された工事予告看板に対し照明灯３の照明方向が最適方向位置に調整されて工事予告看板の内容が容易に視認し得るように的確に照明される。
【００１９】
上述したように、本実施例に係る高速道路用工事予告看板照明具においては、照明灯３の点灯方式を電池点灯方式としたことで、ガソリンエンジン駆動の発電電力点灯方式等とした際の燃料補給の面倒及び排気ガスの発生がなくなる。
【００２０】
照明灯３点灯用の電圧を、電灯線からとらずに、携帯性を有する電池を用いて得たことで、車両運転中のドライバが容易に視認し易い位置を優先して工事予告看板を設置することができる。
【００２１】
照明灯３の照明方向を垂直方向及び左右方向に調整可能としたことで、工事予告看板の内容を的確に照明することができる。
【００２２】
なお、本考案は、本考案の精神を逸脱しない限り種々の改変をなすことができ、そして、本考案が該改変されたものにも及ぶことは当然である。
【産業上の利用可能性】
【００２３】
燃料補給の面倒及び排気ガスの発生がなく、車両運転中のドライバ等に対し視認し易い場所を優先させて看板を設置し得るとともに該看板の内容を的確に照明することが不可欠な例えば道路案内看板等の照明具にも適用することが可能である。
【符号の説明】
【００２４】
１    高速道路用工事予告看板照明具
２    取付基体
３    照明灯
４    ガード柵
５    クランプ機構
６    照明灯カバー
７    垂直方向回動軸
８    Ｌ形金具
９    左右方向回動軸
１０    電池収納ケース
１１    電源線
１２    押釦スイッチ
【図１】
0003153984.tif 000003
【図２】
0003153984.tif 000004